(57)【要約】【課題】簡単な構造で、安価であり、様々な用途に使用可能な映像表示装置を提供する。【解決手段】透過式頭部搭載表示装置１は、異なる撮像条件を有する２つの撮像部１１１ａ，１１１ｂと、撮像部１１１ａ，１１１ｂにより撮像した映像を表示して眼に導いて映像の虚像を提供するとともに、外界からの光を透過させて眼に導いて外界の像を提供する透過式表示部１５０と、２つの撮像部の切り替えを行なう制御部１１０とを備え、切り替えられた撮像部１１１ａ，１１１ｂで撮像した映像を透過式表示部１５０に表示する。異なる撮像条件は、焦点距離の異なる２つの固定焦点レンズに基づく、また異なるピント位置の２つの固定焦点レンズに基づく、また撮像倍率の異なる２つの固定倍率レンズに基づく、また表示画角と同等以下である撮像画角と、表示画角より同等以上である撮像画角に基づき、使用者の手動操作または使用者の頭の仰角により２つの撮像部１１１ａ，１１１ｂの切り替えを行なう。【選択図】図１
2005286927.tif 000002
【特許請求の範囲】
【請求項１】
異なる撮像条件を有する２つの撮像部と、
前記撮像部により撮像した映像を表示して眼に導いて映像の虚像を提供するとともに、外界からの光を透過させて眼に導いて外界の像を提供する透過式表示部と、
前記２つの撮像部の切り替えを行なう制御部とを備え、
前記切り替えられた撮像部で撮像した映像を前記透過式表示部に表示することを特徴とする透過式頭部搭載表示装置。
【請求項２】
前記異なる撮像条件は、焦点距離の異なる２つの固定焦点レンズに基づくことを特徴とする請求項１に記載の透過式頭部搭載表示装置。
【請求項３】
前記異なる撮像条件は、ピント位置の範囲が１．５ｍから３ｍである第１の撮像部と、ピント位置の範囲が０．４ｍから０．８ｍである第２の撮像部であることを特徴とする請求項１に記載の透過式頭部搭載表示装置。
【請求項４】
前記異なる撮像条件は、撮像倍率の異なる２つの固定倍率レンズに基づくことを特徴とする請求項１に記載の透過式頭部搭載表示装置。
【請求項５】
前記撮像倍率が、表示画像が表示部を透過して見える外界と重なるような撮像倍率である第１の撮像部と、
外界より大きく表示するような撮像倍率である第２の撮像部であることを特徴とする請求項４に記載の透過式頭部搭載表示装置。
【請求項６】
前記異なる撮像条件は、表示画角と同等以下である撮像画角と、表示画角より同等以上である撮像画角に基づくことを特徴とする請求項１に記載の透過式頭部搭載表示装置。
【請求項７】
前記２つの撮像部のうち少なくとも１つは前記透過式表示部と一体に形成されていることを特徴とする請求項１乃至請求項６のいずれか１項に記載の透過式頭部搭載表示装置。
【請求項８】
前記制御部は、使用者の手動操作または使用者の頭の仰角により前記２つの撮像部の切り替えを行なうことを特徴とする請求項１乃至請求項７のいずれか１項に記載の透過式頭部搭載表示装置。
【請求項９】
前記制御部は、使用者の頭の水平位置より下側１０度から２０度の間の角度で切り替えを行うとともに、前記切り替え角度より上向きのときは第１の撮像部の映像を表示し、前記切り替え角度より下のときは第２の撮像部の映像を表示することを特徴とする請求項１乃至請求項８のいずれか１項に記載の透過式頭部搭載表示装置。
【請求項１０】
使用者の頭の動きを感知する動作感知部を有し、
予め定められた時間以上前記使用者の頭の動作を感知しない時は、表示倍率を予め設定した倍率まで上げて表示するとともに、その後、前記使用者の頭の動作を感知した場合は元の表示倍率に戻して表示することを特徴とする請求項１乃至請求項９のいずれか１項に記載の透過式頭部搭載表示装置。
【発明の詳細な説明】
【技術分野】
【０００１】
この発明は、顔前にて使用され、例えば視覚障害補助器具等として用いられる透過式頭部搭載表示装置に関する。
【背景技術】
【０００２】
例えば、視覚障害補助器具として、使用者がどの部分を観察していてもボケのない常に良好な映像を観察することができるものがある（例えば、特許文献１）。また、視線方向を検出して、焦点を調節する自動焦点調節眼鏡が提供されている（例えば、特許文献２）。さらに、例えば、読書機や拡大鏡などが販売されている。
【特許文献１】特開平８−３３６１２８号公報
【特許文献２】特開２０００−２４９９０２号公報
【発明の開示】
【発明が解決しようとする課題】
【０００３】
ところで、特許文献１のものでは、撮影された複数の映像を伝送し、画像処理してヘッドマウントディスプレイを装着した視聴者の視点情報から、視聴者の観察している部分が最も鮮明に撮影されている映像を選択する複雑な構造である。  また、特許文献２のものでは、焦点を調節する自動焦点調節の構造が複雑で、かつ製作コストが嵩む等の問題がある。
【０００４】
さらに、読書機や拡大鏡などは、何れも用途が限定されているため、使用者はその症状と用途に応じた複数の補助器具を選択し準備する必要がある。
【０００５】
この発明は、かかる点に鑑みてなされたもので、簡単な構造で、安価であり、頭部に装着して読書、散歩等様々な用途に使用可能な透過式頭部搭載表示装置を提供することを目的としている。
【課題を解決するための手段】
【０００６】
前記課題を解決し、かつ目的を達成するために、この発明は、以下のように構成した。
【０００７】
請求項１に記載の発明は、異なる撮像条件を有する２つの撮像部と、
前記撮像部により撮像した映像を表示して眼に導いて映像の虚像を提供するとともに、外界からの光を透過させて眼に導いて外界の像を提供する透過式表示部と、
前記２つの撮像部の切り替えを行なう制御部とを備え、
前記切り替えられた撮像部で撮像した映像を前記透過式表示部に表示することを特徴とする透過式頭部搭載表示装置である。
【０００８】
請求項２に記載の発明は、前記異なる撮像条件は、焦点距離の異なる２つの固定焦点レンズに基づくことを特徴とする請求項１に記載の透過式頭部搭載表示装置である。
【０００９】
請求項３に記載の発明は、前記異なる撮像条件は、ピント位置の範囲が１．５ｍから３ｍである第１の撮像部と、ピント位置の範囲が０．４ｍから０．８ｍである第２の撮像部であることを特徴とする請求項１に記載の透過式頭部搭載表示装置である。
【００１０】
請求項４に記載の発明は、前記異なる撮像条件は、撮像倍率の異なる２つの固定倍率レンズに基づくことを特徴とする請求項１に記載の透過式頭部搭載表示装置である。
【００１１】
請求項５に記載の発明は、前記撮像倍率が、表示画像が表示部を透過して見える外界と重なるような撮像倍率である第１の撮像部と、
外界より大きく表示するような撮像倍率である第２の撮像部であることを特徴とする請求項４に記載の透過式頭部搭載表示装置である。
【００１２】
請求項６に記載の発明は、前記異なる撮像条件は、表示画角と同等以下である撮像画角と、表示画角より同等以上である撮像画角に基づくことを特徴とする請求項１に記載の透過式頭部搭載表示装置である。
【００１３】
請求項７に記載の発明は、前記２つの撮像部のうち少なくとも１つは前記透過式表示部と一体に形成されていることを特徴とする請求項１乃至請求項６のいずれか１項に記載の透過式頭部搭載表示装置である。
【００１４】
請求項８に記載の発明は、前記制御部は、使用者の手動操作または使用者の頭の仰角により前記２つの撮像部の切り替えを行なうことを特徴とする請求項１乃至請求項７のいずれか１項に記載の透過式頭部搭載表示装置である。
【００１５】
請求項９に記載の発明は、前記制御部は、使用者の頭の水平位置より下側１０度から２０度の間の角度で切り替えを行うとともに、前記切り替え角度より上向きのときは第１の撮像部の映像を表示し、前記切り替え角度より下のときは第２の撮像部の映像を表示することを特徴とする請求項１乃至請求項８のいずれか１項に記載の透過式頭部搭載表示装置である。
【００１６】
請求項１０に記載の発明は、使用者の頭の動きを感知する動作感知部を有し、  予め定められた時間以上前記使用者の頭の動作を感知しない時は、表示倍率を予め設定した倍率まで上げて表示するとともに、その後、前記使用者の頭の動作を感知した場合は元の表示倍率に戻して表示することを特徴とする請求項１乃至請求項９のいずれか１項に記載の透過式頭部搭載表示装置である。
【発明の効果】
【００１７】
前記構成により、この発明は、以下のような効果を有する。
【００１８】
請求項１に記載の発明によれば、異なる撮像条件を有する２つの撮像部の切り替えを行ない、切り替えられた撮像部で撮像した映像を表示して眼に導いて映像の虚像を提供するとともに、外界からの光を透過させて眼に導いて外界の像を提供し、簡単な構造で、かつ安価で、頭部に装着して読書、散歩等様々な用途に使用可能である。
【００１９】
請求項２に記載の発明によれば、異なる撮像条件が、焦点距離の異なる２つの固定焦点レンズに基づく構成であり、遠距離でも、近距離でも鮮明な映像を得ることができる。
【００２０】
請求項３に記載の発明によれば、異なる撮像条件が、ピント位置の範囲が１．５ｍから３ｍである第１の撮像部と、ピント位置の範囲が０．４ｍから０．８ｍである第２の撮像部であり、焦点距離を切り替える安価な装置で、日常の生活で使用者がどの部分を観察していてもボケのない常に良好な映像を観察することができる。
【００２１】
請求項４に記載の発明によれば、異なる撮像条件が、撮像倍率の異なる２つの固定倍率レンズに基づく構成であり、遠距離でも、近距離でも鮮明な映像を得ることができる。
【００２２】
請求項５に記載の発明によれば、撮像倍率が、表示画像が表示部を透過して見える外界と重なるような撮像倍率である第１の撮像部と、外界より大きく表示するような撮像倍率である第２の撮像部であり、撮像倍率を切り替える安価な装置で、日常の生活で使用者が遠方を観察していても拡大することで常に良好な映像を観察することができる。
【００２３】
請求項６に記載の発明によれば、一方の撮像画角が表示画角と同等以下であり、他方の撮像画角は表示画角より同等以上であり、望遠または広角の映像を得ることができ、日常の生活で使用者が常に良好な映像を観察することができる。
【００２４】
請求項７に記載の発明によれば、２つの撮像部のうち少なくとも１つは透過式表示部と一体に形成され、コンパクトな構造である。
【００２５】
請求項８に記載の発明によれば、使用者の手動操作により自由に切り替えを行ない撮像して表示することができる。また、使用者の頭の仰角により切り替えを行なうことで、見る者に応じた撮像倍率、焦点距離に変更し、使用者への負担がなく切り替えを行ない撮像して表示することができる。
【００２６】
請求項９に記載の発明によれば、使用者の頭の水平位置より下側１０度から２０度の間の角度で切り替えを行うとともに、切り替え角度より上向きのときは第１の撮像部の映像を表示し、切り替え角度より下のときは第２の撮像部の映像を表示し、通常頭を水平から上に向ける時は遠くを見ることが多く、下を向く時は近くを見ることが多いため、表示する映像もそれら見る者に応じて変更して表示し、様々な場面で利用可能である。
【００２７】
請求項１０に記載の発明によれば、予め決められた時間以上使用者の頭の動作を感知しない時は、表示倍率を予め設定した倍率まで上げて表示するとともに、その後、使用者の頭の動作を感知した場合は元の表示倍率に戻して表示し、使用者が頭を動かさない時は注視していることが多く、倍率を更に高めることにより視認性が向上し、様々な場面で利用可能である。
【発明を実施するための最良の形態】
【００２８】
以下、この発明の透過式頭部搭載表示装置の実施の形態について説明するが、この発明は、この実施の形態に限定されない。また、この発明の実施の形態は、発明の最も好ましい形態を示すものであり、この発明の用語はこれに限定されない。
【００２９】
この発明の透過式頭部搭載表示装置の実施の形態は、図１乃至図４に示すように構成される。図１は透過式頭部搭載表示装置の構成図である。この実施の形態の透過式頭部搭載表示装置１は、映像を表示する表示部１００と、接眼光学系１０１と、接眼光学系１０１を保持する透明な板状部材１０２とを備え、これらは透過式表示部１５０を構成し、使用者の頭部に装着して使用される。
【００３０】
この表示部１００には、制御部１１０が接続され、制御部１１０には、２つの撮像部１１１ａ，１１１ｂが接続される。この撮像部１１１ａ，１１１ｂは、例えばＣＣＤカメラで構成され、被写体を撮像して映像情報を制御部１１０に送る。制御部１１０の制御で表示部１００は、映像を表示する。この表示部１００からの光を接眼光学系１０１により眼Ｅに導いて表示部１００が表示した映像の虚像を提供するとともに、外界からの光を板状部材１０２を透過させて眼Ｅに導いて外界の像を提供する。
【００３１】
この２つの撮像部１１１ａ，１１１ｂは、異なる撮像条件を有する。制御部１１０には、手動操作部Ｓ１と角度センサＳ２が接続され、制御部１１０は手動操作部Ｓ１または角度センサＳ２によって２つの撮像部１１１ａ，１１１ｂの切り替えを行ない、切り替えられた第１の撮像部１１１ａまたは第２の撮像部１１１ｂで撮像し、この撮像した映像を表示部１００に表示する。
【００３２】
次に、異なる撮像条件を有する２つの撮像部１１１ａ，１１１ｂは、図２乃至図４に示すように構成される。図２は焦点距離の異なる構成の撮像条件を有する２つの撮像部を示す図である。この実施の形態の２つの撮像部１１１ａ，１１１ｂは、異なる撮像条件が焦点距離の異なる２つの固定焦点レンズ１６０ａ，１６０ｂに基づいて構成され、遠距離でも、近距離でも鮮明な映像を得ることができる。
【００３３】
異なる撮像条件が第１の撮像部１１１ａの固定焦点レンズ１６０ａは、ピント位置の範囲が１．５ｍから３ｍであり、また第２の撮像部１１１ｂの固定焦点レンズ１６０ｂは、ピント位置の範囲が０．４ｍから０．８ｍであり、ピント位置を切り替える安価な装置で、日常の生活で使用者がどの部分を観察していてもボケのない常に良好な映像を観察することができる。
【００３４】
図３は撮像倍率の異なる構成の撮像条件を有する２つの撮像部を示す図である。２つの撮像部１１１ａ，１１１ｂは、異なる撮像条件が撮像倍率の異なる２つの固定倍率レンズ１６１ａ，１６１ｂに基づいて構成され、遠距離でも、近距離でも鮮明な映像を得ることができる。この実施の形態の第１の撮像部１１１ａの固定倍率レンズ１６１ａは、等倍であり、また第２の撮像部１１１ｂの固定倍率レンズ１６１ｂは、拡大であり、撮像倍率を切り替える安価な装置で、日常の生活で使用者が遠方を観察していても拡大することで常に良好な映像を観察することができる。
【００３５】
図４は撮像画角の異なる構成の撮像条件を有する２つの撮像部を示す図である。この実施の形態の２つの撮像部１１１ａ，１１１ｂは、異なる撮像条件が表示画角と同等以下である撮像画角と、表示画角より同等以上である撮像画角に基づく構成である。撮像部１１１ａは撮像画角が表示画角と同等以下であり、撮像部１１１ｂの撮像画角は表示画角より同等以上であり、望遠または広角の映像を得ることができ、日常の生活で使用者が常に良好な映像を観察することができる。  次に、この実施の形態の透過式頭部搭載表示装置１は、図５に示すようにメガネに適用できる。この実施の形態では、透過式頭部搭載表示装置１の透過式表示部１５０をメガネ２００のフレーム２０１の上部に設け、光を接眼光学系１０１により眼Ｅに導いて表示部１００が表示した映像の虚像を提供するとともに、外界からの光を板状部材１０２を透過させて眼Ｅに導いて外界の像を提供する。
【００３６】
撮像部１１１ａ，１１１ｂ、角度センサＳ２は、メガネ２００のフレーム２０１の上部に設けられる。透過式頭部搭載表示装置１の電源は、バッテリを透過式表示部１５０に内蔵してもよいし、また別体にして吊すようにしてもよい。
【００３７】
この透過式頭部搭載表示装置１を備えるメガネ２００は、図６及び図７に示すように使用される。図６は使用者が読書を行なう状態を示し、図７は使用者が歩行する状態を示す。この透過式頭部搭載表示装置１を備えるメガネ２００を掛けた使用者４００が読書を行ない、あるいは歩行するときには、透過式表示部１５０の制御部１１０は、角度センサＳ２からの角度情報に基づき使用者４００の頭４００ａの水平位置より下側１０度から２０度の間の角度で切り替えを行うとともに、切り替え角度より上向きのときは第１の撮像部１１１ａの映像を表示し、切り替え角度より下のときは第２の撮像部１１１ｂの映像を表示する。
【００３８】
図６のように、使用者が椅子３００に座って、机３０１においた本３０２を読む時には、切り替え角度より下向きであり、このときは第２の撮像部１１１ｂの映像を表示する。即ち、撮像部１１１ｂが図２に示すように、異なる撮像条件が焦点距離の異なる実施の形態の場合は、ピント位置の範囲が０．４ｍから０．８ｍであり、ボケのない良好な映像で読書を行なうことができる。
【００３９】
また、撮像部１１１ｂが図３に示すように、異なる撮像条件が撮像倍率の異なる実施の形態の場合は、撮像倍率が、表示画像が表示部を透過して見える外界と重なるような撮像倍率である第１の撮像部１１１ａと、外界より大きく表示するような撮像倍率である第２の撮像部１１１ｂであり、撮像倍率を切り替える安価な装置で、日常の生活で使用者が遠方を観察していても拡大することで常に良好な映像を観察することができる。また、小さい文字等でも拡大した良好な映像で読書を行なうことができる。また、撮像部１１１ｂが図４に示すように、異なる撮像条件が表示画角と同等以下である撮像画角と、表示画角より同等以上である撮像画角に基づく構成である実施の形態の場合は、広角の映像で読書を行なうことができる。
【００４０】
図７のように、使用者４００が歩行する時には、切り替え角度より上向きであり、このときは第１の撮像部１１１ａの映像を表示する。即ち、撮像部１１１ａが図２に示すように、異なる撮像条件が焦点距離の異なる実施の形態の場合は、ピント位置の範囲が１．５ｍから３ｍであり、ボケのない良好な映像で歩行を行なうことができる。また、撮像部１１１ａが図３に示すように、異なる撮像条件が撮像倍率の異なる実施の形態の場合は、撮像倍率が拡大であり、使用者４００が遠方を拡大することで常に良好な映像で歩行を行なうことができる。また、撮像部１１１ａが図４に示すように、異なる撮像条件が表示画角と同等以下である撮像画角と、表示画角より同等以上である撮像画角に基づく構成である実施の形態の場合は、望遠の映像で歩行を行なうことができる。
【００４１】
このように、異なる撮像条件を有する２つの撮像部１１１ａ，１１１ｂの切り替えを行ない、切り替えられた撮像部で撮像した映像を表示し、簡単な構造で、かつ安価で、様々な用途に使用可能である。また、２つの撮像部１１１ａ，１１１ｂのうち少なくとも１つは表示部１００と一体に形成され、コンパクトな構造である。
【００４２】
この実施の形態の透過式頭部搭載表示装置１は、図８及び図１１に示すように、透過のメガネ式に構成されるが、これに限定されない。図８は透過式頭部搭載表示装置の外観を示す図である。この実施の形態の透過式頭部搭載表示装置１は、１つの表示部１００、撮像部１１１ａ，１１１ｂ、制御部１１０、角度センサＳ２、左右１対のプリズム２０Ｌ、２０Ｒ、鼻当て３１、左右１対のテンプル３２Ｌ、３２Ｒよりなり、プリズム２０Ｌ、２０Ｒが左右の眼の前に位置するように使用者の顔前に装着される。撮像部１１１ａ，１１１ｂは、鼻当て３１の両側のフレームに取り付けられる。
【００４３】
図８では、表示部１００、制御部１１０、撮像部１１１ａ，１１１ｂ、角度センサＳ２が共に取り付けられているが、図９に示すように、制御部１１０は、バッテリ１９０を一体に組み込み、ケーブル９１で撮像部１１１ａ，１１１ｂ及び表示部１００に電源を与え、信号の送受信を行なうようにしてもよい。
【００４４】
鼻当て３１は、プリズム２０Ｌ、２０Ｒに取り付けられており、これらを連結している。テンプル３２Ｌ、３２Ｒは、それぞれプリズム２０Ｌ、２０Ｒの端部に取り付けられている。装着時には、鼻当て３１が鼻に当たり、テンプル３２Ｌ、３２Ｒが耳、側頭部または後頭部に当たって、透過式頭部搭載表示装置１は、これら３部位で支持される。テンプル３２Ｌ、３２Ｒは、プリズム２０Ｌ、２０Ｒ近傍の部位に設けられた垂直方向の軸（不図示）を中心に回動可能であり、非使用時には内側に折り畳むことができる。
【００４５】
表示部１００は、右のプリズム２０Ｒに取り付けられている。表示部１００を含む断面を図１０に示す。表示部１００は、透過型の液晶表示器（ＬＣＤ）１１、筺体１２、プリズム１３、発光ダイオード（ＬＥＤ）１４、およびレンズ１５よりなる。ＬＣＤ１１は表示するための映像を表示し、表示した映像により照明光を変調する。筺体１２は、ＬＣＤ１１、ＬＥＤ１４およびレンズ１５を収容してこれらを保持する。ＬＥＤ１４はＬＣＤ１１を照明するための光源であり、レンズ１５はＬＥＤ１４が発した光をＬＣＤ１１の全面に均一に導くための照明光学系である。
【００４６】
ＬＣＤ１１の映像の表示やＬＥＤ１４の発光は、制御部１０１によって制御され、撮像部１１１で撮像した画像情報を画像処理し、電力や映像信号を供給する。
【００４７】
プリズム１３は平板状であり、透明なガラスまたは樹脂で作製されている。プリズム１３はＬＣＤ１１からの光を眼Ｅに導いて、ＬＣＤ１１に表示された映像の虚像を表示する。プリズム１３の上端部は、縁の方が内部側よりも厚いくさび状とされており、筺体１２はこのくさび状の上端部を挟むようにして、プリズム１３に取り付けられている。
【００４８】
プリズム２０Ｌは平板状であり、単一の部材で構成されている。プリズム２０Ｒも平板状であるが、単一の部材ではなく、プリズム１３とプリズム２１で構成されている。プリズム２０Ｌおよびプリズム２１は、プリズム１３と同じ材料で作製されており、これら３者に屈折率の差はない。プリズム２０Ｒを成すプリズム１３とプリズム２１は相補的な形状を有し、隙間なく、かつ表面が連続するように接合されている。プリズム１３がくさび状の上端部を有することを除いて、プリズム２０Ｌ、２０Ｒは一般的な眼鏡同様対称形である。透過式頭部搭載表示装置１を顔前に装着した使用者は、プリズム２０Ｌ、２０Ｒを通して外界を観察することになる。
【００４９】
プリズム１３の下端部は、縁に向かうほど前面（眼Ｅから遠い面）が後面（眼Ｅに近い面）に近づくように作製されており、くさび状である。このくさび状の部位の前面すなわちプリズム２１との接合面は平面であり、この平面にはホログラム素子２２が形成されている。ホログラム素子は２２、装着時に眼Ｅの直前に位置する。プリズム１３およびホログラム素子２２が接眼光学系１０１を構成する。
【００５０】
プリズム１３は、ＬＣＤ１１からの光を、上端部の端面より内部に導き入れ、前面と後面で複数回全反射しながら、ホログラム素子２２に導く。ホログラム素子２２は、導かれた光を回折させて、平行光に近い光束としながら、眼Ｅに入射させる。これにより、使用者には、ＬＣＤ１１に表示された映像の虚像が表示される。ホログラム素子２２は外界からの光にはほとんど作用せず、虚像は外界の像の中央部に重なって観察される。
【００５１】
透過式頭部搭載表示装置１では、ＬＣＤ１１からの光をプリズム１３の内部で反射しながらホログラム素子２２に導くようにしているため、プリズム２０Ｒを大きくすることが可能である。プリズム１３の下端部はくさび状であるが、同じ材質のプリズム２１に接合されているため、プリズム１３の下端部を透過する外界からの光に屈折は生じない。したがって、外界の像の中央部が歪んだり不連続になったりすることもなく、透過式頭部搭載表示装置１は質の高い像を表示することができる。
【００５２】
ＬＣＤ１１は左右方向に長い長方形状であり、十数文字が横方向に並ぶ文字列を１〜数行表示することができる。このため、使用者は、映像から多くの情報を一度に得ることが可能である。なお、この実施の形態では、右眼に映像を表示するようにしているが、もちろん、左眼に映像を表示するようにしてもよい。
【００５３】
この他の実施の形態の外観を図１１に示す。この実施の形態の透過式頭部搭載表示装置１は、１対の表示部１０Ｌ、１０Ｒを備えて左右両眼に映像を表示するとともに、プリズム２０Ｌ、２０Ｒにパワーをもたせて、使用者の視力を矯正し得るようにしたものである。表示部１０Ｌ、１０Ｒの構成は、プリズム１３Ｌ、１３Ｒが曲率を有する点を除き、図８乃至図１０の実施形態の透過式頭部搭載表示装置１の表示部１００と同様の構成である。
【００５４】
プリズム２０Ｌ、２０Ｒのパワーは使用者の視力に応じて設定する。プリズム２０Ｌ、２０Ｒに負のパワーをもたせることで近視を、正のパワーをもたせることで遠視を矯正することができる。プリズム１３Ｌ、１３Ｒの下端部のプリズム２１Ｌ、２１Ｒとの接合面は平面とされており、ホログラム素子２２Ｌ、２２Ｒの形成は容易である。
【産業上の利用可能性】
【００５５】
この発明は、異なる撮像条件を有する２つの撮像部を切り替え、切り替えられた撮像部で撮像した映像を表示し、簡単な構造で、安価であり、頭部に装着して読書、散歩等様々な用途に使用可能な透過式頭部搭載表示装置に適用できる。
【図面の簡単な説明】
【００５６】
【図１】透過式頭部搭載表示装置の構成図である。
【図２】焦点距離の異なる構成の撮像条件を有する２つの撮像部を示す図である。
【図３】撮像倍率の異なる構成の撮像条件を有する２つの撮像部を示す図である。
【図４】撮像画角の異なる構成の撮像条件を有する２つの撮像部を示す図である。
【図５】透過式頭部搭載表示装置を備えるメガネの実施の形態を示す図である。
【図６】使用者が読書を行なう状態を示す図である。
【図７】使用者が歩行する状態を示す図である。
【図８】透過式頭部搭載表示装置の外観を示す図である。
【図９】透過式頭部搭載表示装置の外観を示す図である。
【図１０】透過式頭部搭載表示装置の表示部を含む断面図である。
【図１１】他の透過式頭部搭載表示装置の外観を示す図である。
【符号の説明】
【００５７】
１  透過式頭部搭載表示装置
１００  表示部
１０１  接眼光学系
１０２  板状部材
１１０  制御部
１１１ａ，１１１ｂ  撮像部
１５０  透過式表示部
Ｓ１  手動操作部
Ｓ２  角度センサ
【図１】
2005286927.tif 000003
【図２】
2005286927.tif 000004
【図３】
2005286927.tif 000005
【図４】
2005286927.tif 000006
【図５】
2005286927.tif 000007
【図６】
2005286927.tif 000008
【図７】
2005286927.tif 000009
【図８】
2005286927.tif 000010
【図９】
2005286927.tif 000011
【図１０】
2005286927.tif 000012
【図１１】
2005286927.tif 000013